(57)【要約】【課題】  印刷データ作成処理と印刷データ出力処理の二つの処理が集中され、オペレーティングシステム（ＯＳ）上で動作する他のソフトウエアに負荷が掛かる。【解決手段】  情報処理装置１は、プリンタ装置２に対してＲＡＭ使用状態取得命令を出力して、プリンタ装置２から得られたＲＡＭ使用量に関する情報に基づいて、ＲＡＭ２１の使用量が、プリンタ装置２が印刷動作を行うために充分な使用量であるときには、プリンタ装置２に対する印刷データの出力を控えて、ＲＡＭ２１の使用量が、プリンタ装置２が印刷動作を行うために不十分であるときには印刷データを出力する。【選択図】  図２
2006227967.tif 000002
【特許請求の範囲】
【請求項１】
印刷データを格納可能なメモリ手段を備えた画像形成装置に対して前記印刷データを出力する処理をコンピュータに行わせるプログラムであって、
作成した印刷データを分割して前記画像形成装置に出力し、前記分割した印刷データを出力する前に前記画像形成装置から前記メモリの使用量に関する情報を取得して、前記メモリの使用量が印刷動作を行うに充分な使用量であるときには前記分割した印刷データの出力を控え、前記メモリの使用量が印刷動作を行うに不十分な使用量であるときには前記分割した印刷データを出力する処理をコンピュータに行なわせることを特徴とするプログラム。
【請求項２】
請求項１に記載のプログラムにおいて、前記印刷動作を行うに充分な使用量であるとするときの前記メモリ手段の使用量をユーザインタフェース画面上で指定する処理をコンピュータに行なわせることを特徴とするプログラム。
【請求項３】
請求項１又は２に記載のプログラムにおいて、前記メモリの使用量に応じて分割した印刷データの出力を控え、或いは分割した印刷データを出力する処理を行うか否かをユーザインタフェース画面上で指定する処理をコンピュータに行なわせることを特徴とするプログラム。
【請求項４】
印刷データを作成して印刷データを格納可能なメモリ手段を備えた画像形成装置に対して前記印刷データを出力することが可能な情報処理装置において、請求項１ないし３のいずれかに記載のプログラムを備えていることを特徴とする情報処理装置。
【請求項５】
印刷データを格納可能なメモリ手段を備えた画像形成装置と、この画像形成装置に対して印刷データを作成して出力する情報処理装置とを供えた印刷システムにおいて、前記情報処理装置が請求項４に記載の情報処理装置であることを特徴とする印刷システム。
【請求項６】
印刷データを作成して出力する情報処理装置と、この情報処理装置から出力された印刷データに基づいて印刷を行う画像形成装置とで構成される印刷システムにおいて、
前記画像形成装置には、印刷する印刷データを蓄えるメモリ手段と、印刷データを蓄えたメモリ手段の使用状況を把握する手段と、前記情報処理装置からのメモリ使用状況取得命令に対して使用している前記メモリ手段の使用量を通知する手段とを有し、
前記情報処理装置には、作成した印刷データを保持する記憶手段と、作成した印刷データを前記画像形成装置に対して出力する手段と、前記画像形成装置が使用しているメモリ手段の使用量を取得するメモリ使用状況取得命令を送出して前記メモリ手段の使用量を取得する手段とを有し、
前記情報処理装置は、前記印刷データを分割して前記画像形成装置に対して出力し、前記分割した印刷データを出力する前に前記メモリ使用量取得命令を送出して前記画像形成装置から取得した前記メモリ手段の使用量に基づき、
前記画像形成装置が使用しているメモリ手段の使用量が印刷動作を行うのに充分な使用量であるときには、前記分割した印刷データの出力を控え、前記画像形成装置が使用しているメモリ手段の使用量が印刷動作を行うのに不十分であるときには、前記分割した印刷データを出力することを特徴とする印刷システム。
【請求項７】
情報処理装置で作成した印刷データを、この印刷データを格納可能なメモリ手段を備えた画像形成装置に出力する印刷データの出力方法であって、前記印刷データを分割し、印刷前記画像形成装置のメモリ手段の使用量に基づいて、前記メモリ手段の使用量が印刷動作に十分であるときには、使用量が印刷動作に不十分になるまで、前記分割した印刷データの送出を控えることを特徴とする印刷データの出力方法。
【発明の詳細な説明】
【技術分野】
【０００１】
本発明はプログラム、情報処理装置、印刷システム及び印刷データの出力方法に関する。
【背景技術】
【０００２】
従来、情報処理装置と画像形成装置としてのプリンタ装置とを組み合わせた印刷システム、これに用いるプログラム、情報処理装置ないしシステムとしては、例えば、次のようのものが知られている。
【０００３】
特許文献１に記載されているように、アプリケーションソフトからプリンタ装置の印字動作をテストするプリンタ装置テストシステムにおいて、前記アプリケーションソフトから印刷に際してプリンタ装置に送信する印刷データを複製する印刷データ複製手段を具備することを特徴とするプリンタ装置テストシステムがある。
【特許文献１】特開２０００−２２２１５４号公報
【０００４】
特許文献２に記載されているように、プリンタと、プリンタに接続されたプリンタサーバと、プリンタサーバを介してプリンタを使用するクライアントとを含む情報処理システムであって、プリンタサーバは、プリンタの動作状態を、クライアントに同報する／しないを選択する同報選択手段と、プリンタの動作状態を監視する監視手段と、同報選択手段において同報することが選択された場合であって、監視手段によって得られたプリンタの動作状態に変化があったときに、変化後の動作状態を、クライアントに同報する同報手段と、を備え、クライアントは、プリンタの動作状態の通知を要求する要求信号を、プリンタサーバに送信する／しないを選択する送信選択手段と、送信選択手段において要求信号を送信することが選択された場合に、所定の時間間隔で、要求信号をプリンタサーバに送信する送信手段と、を備えた情報処理システムがある。
【特許文献２】特開２００１−２８２４７２号公報
【０００５】
特許文献３に記載されているように、プリンタと接続可能なコンピュータ機器で実行され、双方向インタフェースを介してプリンタをデフォルト機能に従って駆動するプリンタドライバであって、コンピュータ機器でのプリントジョブの開始に応答して、双方向インタフェースを介して現在の状態をプリンタに照会する照会部と、プリンタの現在の状態に応じてデフォルト機能を変更する変更部と、変更された機能に従って双方向インタフェースを介してプリンタにプリントデータを送信する駆動部とを備えるプリンタドライバがある。
【特許文献３】特開２０００−３４３７９４号公報
【０００６】
特許文献４に記載されているように、サーバシステムにクライアントシステムおよびプリンタが接続されており、接続されたプリンタのステータスをクライアントシステムに表示可能な印刷システムにおいて、クライアントシステムは、サーバシステムにステータスの送信の要求を行う要求手段を具え、サーバシステムは、要求に応じて、プリンタからステータスを取得する取得手段と、取得手段により取得したステータスをクライアントシステムへ送信する送信手段とを具え、要求を受信時に取得手段が起動されていない場合に、取得手段を起動してステータスをプリンタから取得させ、取得したステータスを送信手段によりクライアントシステムへ送信させる印刷システムがある。
【特許文献４】特開２００２−１９６８９６号公報
【０００７】
特許文献５に記載されているように、情報処理装置と、情報処理装置からの画像データに基づいて印刷を行うプリンタからなる印刷システムにおいて、情報処理装置に画像データを蓄積する画像データ蓄積手段と、プリンタからのプリンタステータス情報に応じて画像データ蓄積手段に蓄積された画像データのプリンタへの出力を監視制御する印刷状態監視手段とを有し、プリンタにはプリンタステータス情報を情報処理装置に告知する印刷状態告知手段を有し、印刷状態監視手段はプリンタからのプリンタステータス情報に該当するページから画像データをプリンタに出力させる印刷システムがある。
【特許文献５】特開２０００−２９８５７１号公報
【０００８】
特許文献６に記載されているように、印刷情報の処理方法であって、受信した印刷情報をメモリに格納する工程と、受信した印刷情報の量を計測するための計測工程と、計測の結果に基き、受信した印刷情報量と制御の基準量との大小関係を判断して受信の停止と再開を制御する制御工程と、を備える印刷情報の処理方法がある。
【特許文献６】特開２０００−３２６５９６号公報
【０００９】
特許文献７に記載されているように、サーバとクライアントとを双方向通信可能に接続させ、クライアントにて所定の制御処理を開始したことをクライアントで認識するための制御処理開始認識システムであって、上記サーバ側において、上記双方向通信によってクライアントからサーバに所定の制御指示が与えられたことを検出する制御指示検出手段と、同制御指示検出手段がクライアントからの制御指示を検出したときに上記双方向通信によってクライアントに対して制御指示に基づく制御処理が開始されたことを通知する制御処理開始通知手段とを具備し、上記クライアント側において、上記双方向通信によって上記制御処理開始通知手段による制御処理開始通知がなされたときに上記所定の制御処理を開始したことを認識する制御処理開始認識手段とを具備する制御処理開始認識システムがある。
【特許文献７】特開２００１−１６２９０６号公報
【００１０】
特許文献８に記載されているように、プリンタと、このプリンタに通信可能に接続されてプリンタを制御するホスト装置とを備え、プリンタは、受信バッファとして利用されるメモリと、ホスト装置から送られて来る印刷データを受信バッファに受ける受信手段と、受信バッファに受けた印刷データに基づき印刷を行う印刷手段と、プリンタの現在のステータス及びエラーを把握し、把握したステータス及びエラーを表すステータス情報を作成し保持するステータス情報手段と、ホスト装置から送られてくるデータ送信コマンドに応答して、現在保持されているステータス情報を含んだ応答を作成してホスト装置に返送する応答手段と、を有し、ホスト装置は、印刷データを作成する印刷データ作成手段と、作成された１つの印刷ジョブにかかる印刷データを複数の部分データに分割して、各部分データをそれぞれ含んだ複数のデータ送信コマンドを作成し順次にプリンタへ送信するデータ送信手段と、各データ送信コマンドに対してプリンタから返送される各応答を受け、各応答に含まれるステータス情報を取得するステータス取得手段と、を備え、印刷データは各ページ別に異なる１又は複数の部分データに分けられており、各ページにかかるデータ送信コマンドの送信に先立って、各ページのコピー枚数の指定を含んだページ開始宣言コマンドを送ることができるようになっており、プリンタは、ページ開始宣言コマンドにより通知されたコピー枚数が複枚であるページについて、１ページ分のデータ送信コマンドの全部が受信バッファに蓄積できた場合、この受信バッファに蓄積した１ページ分のデータ送信コマンドに基づいて、コピー枚数分の印刷を実行するようになっており、ホスト装置は、更に、各ページにかかるデータ送信コマンドの送信に先立って、各ページのコピー枚数の指定を含んだページ開始宣言コマンドを送信する手段と、コピー枚数が複数枚であるページについて、１ページ分のデータ送信コマンドの全部がプリンタの受信バッファに蓄積できるか否か、つまりマルチコピー成功か否かを判断するマルチコピー成否判断手段と、を有し、ホスト装置のデータ送信手段は、マルチコピー成否判断手段がマルチコピー失敗を判断したページについて、１ページ分のデータ送信コマンドの全部を、コピー枚数回繰り返してプリンタへ送信するようになっている、印刷システムがある。
【特許文献８】特許第３５４６９３５号公報
【発明の開示】
【発明が解決しようとする課題】
【００１１】
上述したように、一般的な印刷システムでは、プリンタ装置の状態を監視し、プリンタ装置の状態に合わせてコンピュータ（情報処理装置）側から印刷データの出力を行うようにしている。
【００１２】
ところで、プリンタ装置として、例えば記録液の液滴を吐出する記録ヘッドを主走査し、被記録媒体を主走査方向と直交する副走査方向に送りながら被記録媒体に画像を形成するシリアル型画像形成装置を使用した場合、記録ヘッドを主走査するための時間がかかり、相対的にはライン型画像形成装置に比べて印刷速度が遅くなる。一方、画像形成装置に対して印刷データを出力する側の情報処理装置の処理速度や印刷データの転送速度は高速化する傾向がある。
【００１３】
この場合、画像形成装置側ではＲＡＭなどのメモリ手段（以下「ＲＡＭ」と称する。）を備えて、情報処理装置側から受領した印刷データを一時的にＲＡＭに保存することで、情報処理装置側から一度に複数部の印刷データを受け取れるようにしている。ただし、画像形成装置のＲＡＭ容量を全て使用してしまった場合には、それ以上画像形成装置に印刷データは保存ができないため、情報処理装置側で印刷データを保持したまま、画像形成装置のＲＡＭが空く（使用可能になる）のを待ち、再度印刷データを転送するなどの処理を行うようにしている。
【００１４】
ところが、情報処理装置側では、印刷データは１ページを一度に作成するのではなく、分割して作成し、分割して作成された印刷データは、順次、画像形成装置に出力される。このとき、情報処理装置側では、印刷データを作成する手段（プログラム）は引き続き残りの印刷データを作成し続けるため、印刷データ作成処理と印刷データ出力処理は並行して行われる。
【００１５】
そのため、印刷データ作成処理と印刷データ出力処理の二つの処理が集中されてしまい、オペレーティングシステム（ＯＳ）上で動作する他のアプリケーションソフトなどのソフトウエアに負荷が掛かるという課題がある。
【００１６】
本発明は上記の課題に鑑みてなされたものであり、印刷データの作成、出力に関与しない他のプログラムへの処理の負荷を軽減するプログラム、情報処理装置、印刷システム、印刷データの出力方法を提供することを目的とする。
【課題を解決するための手段】
【００１７】
上記の課題を解決するため、本発明に係るプログラムは、印刷データを格納可能なメモリ手段を備えた画像形成装置に対して印刷データを出力する処理をコンピュータに行わせるプログラムであって、作成した印刷データを分割して画像形成装置に出力し、分割した印刷データを出力する前に画像形成装置からメモリの使用量に関する情報を取得して、メモリの使用量が印刷動作を行うに充分な使用量であるときには分割した印刷データの出力を控え、メモリの使用量が印刷動作を行うに不十分な使用量であるときには分割した印刷データを出力する処理をコンピュータに行わせる構成とした。
【００１８】
ここで、印刷動作を行うに充分な使用量であるとするときのメモリ手段の使用量をユーザインタフェース画面上で指定する処理をコンピュータに行なわせることが好ましい。また、メモリの使用量に応じて分割した印刷データの出力を控え、或いは分割した印刷データを出力する処理を行うか否かをユーザインタフェース画面上で指定する処理をコンピュータに行なわせることが好ましい。
【００１９】
本発明に係る情報処理装置は、本発明に係るプログラムを備えているものである。
【００２０】
本発明に係る印刷システムは、本件発明に係る情報処理装置を備えたものである。
【００２１】
本発明に係る印刷システムは、印刷データを作成して出力する情報処理装置と、この情報処理装置から出力された印刷データに基づいて印刷を行う画像形成装置とで構成される印刷システムであって、画像形成装置には、印刷する印刷データを蓄えるメモリ手段と、印刷データを蓄えたメモリ手段の使用状況を把握する手段と、情報処理装置からのメモリ使用状況取得命令に対して使用しているメモリ手段の使用量を通知する手段とを有し、情報処理装置には、作成した印刷データを保持する記憶手段と、作成した印刷データを画像形成装置に対して出力する手段と、画像形成装置が使用しているメモリ手段の使用量を取得するメモリ使用状況取得命令を送出してメモリ手段の使用量を取得する手段とを有し、情報処理装置は、印刷データを分割して画像形成装置に対して出力し、分割した印刷データを出力する前にメモリ使用状況取得命令を送出して画像形成装置から取得したメモリ手段の使用量に基づき、画像形成装置が使用しているメモリ手段の使用量が印刷動作を行うのに充分な使用量であるときには、分割した印刷データの出力を控え、画像形成装置が使用しているメモリ手段の使用量が印刷動作を行うのに不十分であるときには、分割した印刷データを出力する構成としたものである。
【００２２】
本発明に係る印刷データの出力方法は、印刷データを分割し、印刷画像形成装置のメモリ手段の使用量に基づいて、メモリ手段の使用量が印刷動作に十分であるときには、使用量が印刷動作に不十分になるまで分割した印刷データの送出を控える構成としたものである。
【発明の効果】
【００２３】
本発明に係るプログラム、このプログラムを備えた情報処理装置、この情報処理装置を含む印刷システム、本発明に係る情報処理装置、本発明に係る印刷データの出力方法によれば、作成した印刷データを分割して画像形成装置に出力し、画像形成装置のメモリの使用量に関する情報に基づいて、メモリ手段の使用量が印刷動作を行うに充分な使用量であるときには印刷データの出力を控えるので、印刷データの出力処理を分散し、処理の効率化、ＯＳで動作している他ソフトウエアに対する負荷を軽減することができる。
【発明を実施するための最良の形態】
【００２４】
以下、本発明の実施形態について添付図面を参照して説明する。図１は本発明に係る印刷システムの一実施形態を示すシステム構成図である。
この印刷システムは、情報処理装置１と画像形成装置であるプリンタ装置２とで構成される。まず、プリンタ装置２は、情報処理装置１から転送されてくる印刷する印刷データを格納する（蓄える）メモリ手段であるＲＡＭ２４と、このプリンタ装置２全体の制御を司り、ＲＡＭ２１に格納された印刷データを順次読み出してエンジン制御部２３を制御して被記録媒体に印刷（画像形成、記録、印写、印字などともいう。）る印刷制御部２２と、印刷制御部２２からの情報に基づいてプリンタエンジン２４を駆動制御するエンジン制御部２３と、ＲＡＭ２１の使用状況を管理するＲＡＭ使用状況管理手段２５などを備えている。
【００２５】
そして、このプリンタ装置２は、情報処理装置１からＲＡＭ使用状況取得命令を受けたときにＲＡＭ使用状況管理手段２５がＲＡＭ２１の使用量を把握して、把握したＲＡＭ２５の使用量を示すＲＡＭ使用状況情報を情報処理装置１に送出する。すなわち、ＲＡＭ使用状況管理手段２５は、印刷データを蓄えたＲＡＭ２１の使用状況を把握する手段と、情報処理装置１からのＲＡＭ２１の使用量（使用状況）に関する情報を要求するメモリ使用状況取得命令（ＲＡＭ使用状況取得命令）に対して、ＲＡＭ２１の使用量（以下「ＲＡＭサイズ」ともいう。）を通知する手段とを兼ねている。
【００２６】
一方、情報処理装置１は、プリンタ装置２が印刷可能な印刷データを作成するプリンタドライバ１１と、プリンタドライバ１１によって生成された印刷データを分割して保存するＯＳが持つスプーラ１２と、プリンタドライバ１１が生成した印刷データを、作成された印刷データから順次、スプーラ１２から分割して受け取り、プリンタ装置２に送出するランゲージモニタ１３と、表示装置（ディスプレイ）１４及び図示しないＯＳやアプリケーションソフトなどを備えている。スプーラ１２は作成した印刷データを保持する記憶手段を兼ねている。
【００２７】
ここで、プリンタドライバ３は、ディスプレイ９に、プリンタ装置２のＲＡＭサイズに応じた印刷データの出力制御処理を実行する／しないをユーザが指定することが可能なユーザインタフェース画面を表示装置１４に表示させ、指定された結果を取り込む処理を行う。また、プリンタドライバ３は、プリンタ装置２に対する印刷データの出力を控えるときのプリンタ装置２のＲＡＭサイズ（使用量）を指定することが可能なユーザインタフェース画面を表示装置１４に表示させ、指定された結果を取り込む処理を行う。
【００２８】
なお、ＲＡＭ２１の使用量が印刷動作を行うに十分か不十分かを判別するためのＲＡＭサイズ（設定使用量）については、印刷動作を行う対象となるプリンタ装置２に最適な値（印刷データ転送を行っている間にプリンタヘッドが動作しなくなってしまう状態にならない最小の値）を初期値として有している。
【００２９】
また、ランゲージモニタ１３は、スプーラ１２から分割して受け取った印刷データをプリンタ装置２に対して出力する前に、プリンタ装置２に対して、プリンタ装置２のＲＡＭ使用状況取得命令を出力し、プリンタ装置２からのＲＡＭ使用状況情報を受け取る。この受け取ったＲＡＭサイズを、予め設定された印刷動作を行うに充分な使用量であるか不十分な使用量であるかを判別するための設定使用量と比較して、ＲＡＭサイズが印刷動作を行うに充分な使用量であるか、不十分な使用量であるかを判別し、この判別結果に応じて印刷データの出力を控え、又は、印刷データを出力する。つまり、ランゲージモニタ１３は、作成した印刷データを画像形成装置に対して出力する手段と、画像形成装置が使用しているメモリ手段の使用量を取得するメモリ使用状況取得命令を送出してメモリ手段の使用量を取得する手段を兼ねている。
【００３０】
なお、上記のＲＡＭサイズが印刷動作を行うに充分な使用量であるか、不十分な使用量であるかの判別は、ランゲージモニタ１３で行ってもよいし、ＲＡＭ使用状況（ＲＡＭサイズ）に関する情報を、スプーラ１２を介してプリンタドライバ１１に送り、プリンタドライバ１１で行うようにすることもできる。
【００３１】
このように構成した印刷システムにおける印刷データの出力処理について図２を参照して説明する。
情報処理装置１は、プリンタドライバ１１で作成され、プリンタ装置２に出力していない分割された印刷データがあるときには、ランゲージモニタ１３からプリンタ装置２に対してＲＡＭ使用状態取得命令（ＲＡＭ使用状況確認コマンド）を出力して、プリンタ装置２からＲＡＭ使用状況情報が返送されるのを持ち、プリンタ装置２からＲＡＭ使用状況情報が返送されたときには、プリンタ装置２のＲＡＭ２１の使用量（ＲＡＭサイズ）を予め定めた設定使用量と比較して、ＲＡＭ２１の使用量が、プリンタ装置２が印刷動作を行うために充分な使用量であるか／不十分な使用量であるかを判別する。
【００３２】
つまり、プリンタ装置２が印刷動作を行うに必要な印刷データがＲＡＭ２１に格納されている（蓄えられている）ときには「充分」である（そのような使用量以上である）と判別し、プリンタ装置２が印刷動作を行うに必要な印刷データがＲＡＭ２１に格納されていないときには「不充分」である（そのような使用量に達していない）と判別する。
【００３３】
このとき、ＲＡＭ２１の使用量が、プリンタ装置２が印刷動作を行うために充分であるときには、プリンタ装置２に対する印刷データの出力を控えて、プリンタ装置２に対してＲＡＭ使用状況取得命令（ＲＡＭ使用状況確認コマンド）を出力する処理に戻り、ＲＡＭ２１の使用量が、プリンタ装置２が印刷動作を行うために不十分であると判別されるまで、このＲＡＭ使用状況取得命令の出力を繰り返す。
【００３４】
そして、これに対して、ＲＡＭ２１の使用量が、プリンタ装置２が印刷動作を行うために不十分であると判別したときには、分割された印刷データをプリンタ装置２に出力する（転送を開始する）。この場合、プリンタ装置２に異常がないことも印刷データを出力する条件とすることもできる。
【００３５】
このように、作成した印刷データを分割して画像形成装置に出力し、分割した印刷データを出力する前に画像形成装置からメモリ手段の使用状況に関する情報を取得して、メモリ手段の使用量が印刷動作を行うに充分な使用量であるときには、メモリ手段の使用量が印刷動作を行うに不十分な使用量になるまで印刷データの出力を控える。
【００３６】
これによって、プリンタ装置のＲＡＭが全て使用されるまで印刷データを転送する場合には印刷データ出力処理が印刷データ作成処理と同時に集中して行われるのに対し、プリンタ装置のＲＡＭ使用状況にあわせて印刷データの転送を行うことで処理を分散化することが可能となる（このような出力処理を「分散出力処理」という。）。その結果、ＯＳ上で動作している他のソフトウエアへの処理の負荷を軽減することができる。
【００３７】
この場合、ＲＡＭサイズ（使用量）による印刷データ出力／不出力の制御処理を実行する／しないを、プリンタドライバ３が表示装置４上に表示するユーザインタフェース画面でユーザが指定できるようにすることで、印刷データ作成処理と印刷データの出力処理の競合による負荷がかからない印刷データを印刷する場合には、印刷データの分散出力処理を省くことができる。
【００３８】
また、印刷動作を行うに充分な使用量であるとするときのメモリ手段の設定使用量を、プリンタドライバが表示装置４上に表示するユーザインタフェース画面上でユーザが指定できるようにすることで、判断条件として使用する設定使用量の値を、使用するプリンタ装置のスペックにあわせて設定することができる。
【図面の簡単な説明】
【００３９】
【図１】本発明の一実施形態を示すシステム構成図である。
【図２】同実施形態における印刷データ出力処理の説明に供するフロー図である。
【符号の説明】
【００４０】
１…情報処理装置
２…プリンタ装置
１１…プリンタドライバ
２１…ＲＡＭ（メモリ手段）
２５…ＲＡＭ使用状況管理手段
【図１】
2006227967.tif 000003
【図２】
2006227967.tif 000004